(57)【特許請求の範囲】
【請求項１】
耐熱ガラス、および、前記耐熱ガラスを支持している枠体を含むドアを備える防火戸であって、
前記耐熱ガラスの縁に沿って延びる框と接続され前記框との間で前記耐熱ガラスを挟み込み前記耐熱ガラスを支持する芯材と、
前記芯材と接続され前記芯材を覆うカバー部材と、
前記芯材と前記框とを接続する押縁接続ねじと、
前記芯材と前記カバー部材とを接続するカバー接続ねじとを備え、
前記カバー接続ねじの数が、前記押縁接続ねじの数よりも少ない
防火戸。
【請求項２】
前記芯材は、前記框との間で前記耐熱ガラスを支持する支持壁と、前記支持壁と連続して前記押縁接続ねじによって前記框に接続される框接続壁と、前記押縁接続ねじが配置される空間とを含むように構成され、
前記空間は、一部が開放され、
前記カバー部材は、前記開放されている部分の少なくとも一部を閉じる
請求項１に記載の防火戸。
【請求項３】
前記カバー部材は、前記芯材の開放されている部分の全体を覆っている
請求項２に記載の防火戸。
【請求項４】
前記芯材は、前記支持壁と連続し、前記框接続壁と間隔をあけて形成されているカバー接続壁を含み、
前記カバー部材は、前記カバー接続壁と接続されている
請求項２または３に記載の防火戸。
【請求項５】
前記芯材の長手方向の寸法は、前記カバー部材の長手方向の寸法よりも短い
請求項１〜４のいずれか一項に記載の防火戸。
【発明の詳細な説明】
【技術分野】
【０００１】
本発明は、建物に設置される防火戸に関する。
【背景技術】
【０００２】
従来から、商業施設および病院等の建物に設置される防火戸が知られている。その一例である特許文献１に記載の防火戸は、耐熱ガラス、および、耐熱ガラスを支持している枠体を含むドアを備える。枠体は、耐熱ガラスの縁に沿って延びる框、および、框との間で耐熱ガラスを挟み込む押縁を含む。框と押縁とは、押縁の表面から挿入された複数のねじを介して接続されている。
【先行技術文献】
【特許文献】
【０００３】
【特許文献１】実開平７−２６５７８号公報
【発明の概要】
【発明が解決しようとする課題】
【０００４】
ところで、防火戸が設置されている建物で火災が発生して押縁が熱変形した場合、ガラスが枠体から外れるおそれがある。このため、防火戸は、防火目的で使用されない通常のドアよりも、框と押縁とを接続する複数のねじの間隔を短くして、使用するねじの本数をより多くすることにより、押縁が熱変形することを抑制している。しかし、框と押縁とを接続するねじは、外部から視認されるため、防火戸の美観が低下するおそれがある。
【０００５】
本発明は、框と押縁とを接続するねじが外部から視認されにくい防火戸を提供することを目的とする。
【課題を解決するための手段】
【０００６】
（１）本発明の一形態に従う防火戸は、耐熱ガラス、および、前記耐熱ガラスを支持している枠体を含むドアを備える防火戸であって、前記枠体は、前記耐熱ガラスの縁に沿って延びる框、および、前記框との間で前記耐熱ガラスを挟み込む押縁、および、前記框と前記押縁とを接続する押縁接続ねじを含み、前記押縁は、一部が開放され、前記押縁接続ねじが配置される空間を含む芯材、および、前記芯材の開放されている部分の少なくとも一部を閉じるカバー部材を備え、前記芯材は、前記耐熱ガラスを支持している支持壁、および、前記支持壁と連続し、前記框に接続される框接続壁を含み、前記押縁接続ねじは、前記框と前記框接続壁とを接続し、前記カバー部材は、前記芯材および前記框の少なくとも一方と接続されている。
【０００７】
この防火戸によれば、押縁接続ねじが芯材の内部の空間に配置され、カバー部材が芯材の開放されている部分の少なくとも一部を閉じているため、押縁接続ねじが外部から視認されにくい。
【０００８】
（２）上記防火戸に従属する一形態によれば、前記カバー部材は、前記芯材を覆う部分を含む。
この防火戸によれば、カバー部材が芯材を覆う部分を含むため、芯材が外部から視認されにくい。このため、防火戸の美観がより高められる。
【０００９】
（３）上記防火戸に従属する一形態によれば、前記カバー部材は、前記芯材の開放されている部分の全体を覆っている。
この防火戸によれば、カバー部材が芯材の開放されている部分の全体を覆っているため、押縁接続ねじが外部から視認されない。
【００１０】
（４）上記防火戸に従属する一形態によれば、前記芯材は、前記支持壁と連続し、前記框接続壁と間隔をあけて形成されているカバー接続壁を含み、前記カバー部材は、前記カバー接続壁と接続されている。
【００１１】
この防火戸によれば、カバー部材が芯材のカバー接続壁と接続されているため、カバー部材が芯材から外れにくい。このため、カバー部材が芯材の開放されている部分を覆っている状態が維持されやすい。
【００１２】
（５）上記防火戸に従属する一形態によれば、前記カバー部材は、前記芯材と接続され、前記カバー部材と前記芯材とを接続するカバー接続ねじをさらに備え、前記カバー接続ねじの数が前記押縁接続ねじの数よりも少ない。
【００１３】
この防火戸によれば、カバー接続ねじの数が押縁接続ねじの数よりも少なく設定されているため、外部から視認されるねじの数が多くなりにくい。このため、防火戸の美観が低下することを抑制できる。
【００１４】
（６）上記防火戸に従属する一形態によれば、前記芯材は、前記耐熱ガラスの縁に沿って延び、前記芯材の長手方向の寸法は、前記カバー部材の長手方向の寸法よりも短い。
この防火戸によれば、芯材の長手方向の寸法がカバー部材の長手方向の寸法よりも短いため、芯材の長手方向の端部と他の枠体との間に隙間が形成される。このため、芯材の温度が上昇して芯材が長手方向に熱膨張したとき、芯材の端部と他の枠体とが接触しにくい。これにより、芯材が座屈しにくく、芯材の支持壁が耐熱ガラスを支持している状態が維持されやすい。
【００１５】
（７）本発明の一形態に従う防火戸は、固定壁が取り付けられる開口溝が形成された無目、前記開口溝を閉じる閉鎖部材、および、前記無目と前記閉鎖部材とを接続するねじを備える防火戸であって、前記閉鎖部材は中空形状であり、前記無目と接続される壁部を含み、前記ねじは、前記無目と前記壁部とを接続し、先端が前記閉鎖部材の内部に位置している。
【００１６】
この防火戸によれば、無目の内部から閉鎖部材の壁部に挿入されたねじの先端が閉鎖部材の内部に位置しているため、ねじが外部から視認されない。このため、防火戸の美観が高められる。
【発明の効果】
【００１７】
本発明にかかる防火戸によれば、框と押縁とを接続するねじが、外部から視認されにくい。
【図面の簡単な説明】
【００１８】
【図１】実施形態の防火戸の外観の正面図。
【図２】図１のＤ２−Ｄ２線に沿う断面図。
【図３】図２のＤ３−Ｄ３線に沿う断面図。
【図４】図１のＤ４−Ｄ４線に沿う断面図。
【図５】図４のＤ５−Ｄ５線に沿う断面図。
【図６】図１の引戸の背面図。
【発明を実施するための形態】
【００１９】
（実施形態）
図１に示されるように、引き分け式の防火戸１は、建物に形成された長方形状の間口３００の長手方向において間隔をあけて配置された一対の縦枠２、および、一対の縦枠２の上方に配置され、一対の縦枠２により支持されている無目１００を備える。防火戸１は、さらに、２つの固定壁１０と、２つの固定壁１０が並べられている方向に沿って移動する２つの引戸２０、および、無目１００の内部に配置され、引戸２０を駆動する駆動部９０を備える。駆動部９０が引戸２０を駆動方向ＺＢに移動させることにより、２つの引戸２０が２つの固定壁１０の間の出入口を開閉する。なお、防火戸１は、１つの固定壁１０、および、１つの引戸２０を備える片引き式であってもよい。また、引戸２０は、ドアの一例であり、防火戸１は、引戸２０に代えて、駆動部９０により駆動される開戸、または、駆動部９０により駆動される折戸を備えていてもよい。
【００２０】
縦枠２は、中空形状であり、防火戸１の高さ方向ＺＡに延びている。
固定壁１０は、防火戸１の高さ方向ＺＡに延びる中空形状の中方立１１、および、中方立１１と縦枠２との間に配置され、引戸２０の駆動方向ＺＢに延びる巾木１２、ならびに、縦枠２、中方立１１、および、巾木１２に支持されている耐熱ガラス１３を備える。
【００２１】
引戸２０は、耐熱ガラス３０、および、耐熱ガラス３０を支持している枠体４０を備える。
枠体４０は、耐熱ガラス３０の上部を支持している第１の枠体５０、耐熱ガラス３０の下部を支持している第２の枠体６０、耐熱ガラス３０の一方の側部を支持している第３の枠体７０、および、耐熱ガラス３０の他方の側部を支持している第４の枠体８０を含む。引戸２０は、戸車を有するドアハンガ２１０，２２０を介して無目１００内に配置された走行レール（図示略）に吊り下げられ、ドアハンガ２１０，２２０により引戸２０の駆動方向ＺＢにスライド自在に支持されている。
【００２２】
駆動部９０は、電気モータ９１、電気モータ９１の出力軸と減速機（図示略）を介して連結されている駆動スプロケット９２、および、引戸２０の駆動方向ＺＢにおいて駆動スプロケット９２と間隔をあけて配置されている従動スプロケット９３を備える。駆動部９０は、さらに、駆動スプロケット９２と従動スプロケット９３とに巻き掛けられているチェーン９４を備える。
【００２３】
チェーン９４は、互いに移動方向が異なる第１の部分９４Ａおよび第２の部分９４Ｂを備える。第１の部分９４Ａと一方の引戸２０の第１の枠体５０とは、第１のドアハンガ２１０を介して接続されている。第２の部分９４Ｂと他方の引戸２０の第１の枠体５０とは、第２のドアハンガ２２０を介して接続されている。電気モータ９１の駆動力がチェーン９４を介してドアハンガ２１０，２２０に伝達されることにより、引戸２０が開閉する。なお、無目１００内には、駆動部９０の他に、防火戸１が設置されている建物内で火災が発生したことが検出されたときに、引戸２０を閉じ方向に移動させるための自動閉鎖装置（図示略）が配置されている。
【００２４】
図２に示されるように、無目１００は、駆動部９０を収容しているメインケース１１０、メインケース１１０の背面壁１１１にヒンジ１１２を介して取り付けられている点検カバー１１３、および、メインケース１１０の正面壁１１４を覆う化粧カバー１１５を備える。無目１００は、メインケース１１０の一対の側壁１１６が縦枠２（図１参照）とボルト１１９により連結され、躯体のアンカー（図示略）により吊り下げられている。なお、図２においては、図面の簡略化のため、駆動部９０が配置される領域を二点鎖線で示している。
【００２５】
メインケース１１０の底壁１１７には、固定壁１０が取り付けられる際に固定壁１０が通過する開口溝１１８が形成され、開口溝１１８のうちの固定壁１０が配置されていない部分は閉鎖部材１２０が取り付けられている。
【００２６】
メインケース１１０の内部には、ねじ１３０が挿入される孔１４０Ａが形成された芯材１４０が配置されている。芯材１４０は、正面壁１１４および底壁１１７に溶接されている。
【００２７】
閉鎖部材１２０は、中空形状であり、メインケース１１０の底壁１１７と接続される上壁１２１を備える。上壁１２１とメインケース１１０の底壁１１７とはねじ１３０により接続され、ねじ１３０の先端は閉鎖部材１２０の内部に位置している。
【００２８】
第１の枠体５０は、耐熱ガラス３０の上縁に沿って延びる上框５１、上框５１との間で耐熱ガラス３０を挟み込む押縁５２、および、上框５１と押縁５２とを接続する押縁接続ねじ５３を備える。
【００２９】
上框５１は、防火戸１の高さ方向ＺＡに凹む凹部５１Ａが形成され、凹部５１Ａに耐熱ガラス３０の上部が挿入されている。凹部５１Ａには、耐熱ガラス３０を挟み込む一対のバックアップ材５１Ｂ、および、凹部５１Ａと耐熱ガラス３０との隙間をシールする難燃性の一対のシール材５１Ｃが配置されている。
【００３０】
押縁５２は、中空形状の芯材５４、芯材５４に取り付けられるカバー部材５５、および、芯材５４とカバー部材５５とを接続するカバー接続ねじ５６を備える。
芯材５４は、例えば鉄により形成されている。芯材５４は、耐熱ガラス３０を支持している支持壁５４Ａ、支持壁５４Ａと連続し、上框５１に接続される框接続壁５４Ｂ、および、カバー部材５５と接続されるカバー接続壁５４Ｃを備える。芯材５４は、さらに、防火戸１の前後方向ＺＣにおいて、支持壁５４Ａと対向する位置に形成されている開放された部分である開口５４Ｄ、および、押縁接続ねじ５３が配置される空間５４Ｅを含む。
【００３１】
カバー部材５５は、例えばステンレスにより形成されている。カバー部材５５は、カバー接続壁５４Ｃに接続される上壁５５Ａ、および、芯材５４の開口５４Ｄの全体を閉じる側壁５５Ｂを備える。側壁５５Ｂの一方の端部は上壁５５Ａと繋がり、他方の端部は、上框５１に支持されている。
【００３２】
図３に示されるように、芯材５４は、引戸２０の駆動方向ＺＢに延びる形状であり、框接続壁５４Ｂは、複数の押縁接続ねじ５３を介して上框５１と接続されている。押縁接続ねじ５３は、例えば、なべねじである。
【００３３】
カバー接続壁５４Ｃは、引戸２０の駆動方向ＺＢに延び、押縁接続ねじ５３を芯材５４の内部に配置して防火戸１の高さ方向ＺＡからドライバ等の工具を差し込むための複数の孔５４Ｆが形成されている。カバー接続壁５４Ｃは、複数のカバー接続ねじ５６を介してカバー部材５５の上壁５５Ａと接続されている。カバー接続ねじ５６は、例えば、皿ねじである。第１の枠体５０で使用されているカバー接続ねじ５６の数は、押縁接続ねじ５３の数よりも少ない。押縁接続ねじ５３およびカバー接続ねじ５６は、引戸２０の駆動方向ＺＢにおいて一定の間隔で配置されている。引戸２０の駆動方向ＺＢにおいて隣り合うカバー接続ねじ５６の間隔ＬＡは、引戸２０の駆動方向ＺＢにおいて隣り合う押縁接続ねじ５３の間隔ＬＢよりも長い。一例によれば、間隔ＬＡは、間隔ＬＢの２倍である。
【００３４】
図２に示されるように、第２の枠体６０は、耐熱ガラス３０の下縁に沿って延びる下框６１、下框６１との間で耐熱ガラス３０を挟み込む押縁６２、および、下框６１と押縁６２とを接続する押縁接続ねじ６３を備える。
【００３５】
下框６１と押縁６２との間には、耐熱ガラス３０の下部を支持するセッティングブロック６１Ａ、耐熱ガラス３０を挟み込む一対のバックアップ材６１Ｂ、および、第２の枠体６０と耐熱ガラス３０との隙間をシールする難燃性の一対のシール材６１Ｃが配置されている。
【００３６】
押縁６２は、中空形状の芯材６４、芯材６４に取り付けられるカバー部材６５、および、芯材６４とカバー部材６５とを接続するカバー接続ねじ６６を備える。
芯材６４は、例えば鉄により形成されている。芯材６４は、耐熱ガラス３０を支持している支持壁６４Ａ、支持壁６４Ａと連続し、下框６１に接続される框接続壁６４Ｂ、および、カバー部材６５と接続されるカバー接続壁６４Ｃを備える。芯材６４は、さらに、防火戸１の前後方向ＺＣにおいて、支持壁６４Ａと対向する位置に形成されている開放された部分である開口６４Ｄ、および、押縁接続ねじ６３が配置される空間６４Ｅを含む。
【００３７】
カバー部材６５は、例えばステンレスにより形成されている。カバー部材６５は、カバー接続壁６４Ｃに接続される上壁６５Ａ、および、芯材６４の開口６４Ｄの全体を閉じる側壁６５Ｂを備える。側壁６５Ｂの一方の端部は上壁６５Ａと繋がり、他方の端部は、下框６１に支持されている。押縁接続ねじ６３は、例えば、なべねじである。カバー接続ねじ６６は、例えば、皿ねじである。なお、第２の枠体６０に用いられる押縁接続ねじ６３の数とカバー接続ねじ６６の数の関係、および、隣り合うねじの間隔の関係は、第１の枠体５０の場合と同様であるため、説明を省略する。
【００３８】
図４に示されるように、第３の枠体７０は、耐熱ガラス３０の一方の側縁に沿って延びる戸尻側縦框７１、戸尻側縦框７１との間で耐熱ガラス３０を挟み込む押縁７２、および、戸尻側縦框７１と押縁７２とを接続する押縁接続ねじ７３を備える。
【００３９】
戸尻側縦框７１は、防火戸１の引戸２０の駆動方向ＺＢに凹む凹部７１Ａが形成され、凹部７１Ａに耐熱ガラス３０の側部が挿入されている。凹部７１Ａには、耐熱ガラス３０を挟み込む一対のバックアップ材７１Ｂ、および、凹部７１Ａと耐熱ガラス３０との隙間をシールする難燃性の一対のシール材７１Ｃが配置されている。
【００４０】
押縁７２は、中空形状の芯材７４、芯材７４に取り付けられるカバー部材７５、および、芯材７４とカバー部材７５とを接続するカバー接続ねじ７６を備える。
芯材７４は、例えば鉄により形成されている。芯材７４は、耐熱ガラス３０を支持している支持壁７４Ａ、支持壁７４Ａと連続し、戸尻側縦框７１に接続される框接続壁７４Ｂ、および、カバー部材７５と接続されるカバー接続壁７４Ｃを備える。芯材７４は、さらに、防火戸１の前後方向ＺＣにおいて、支持壁７４Ａと対向する位置に形成されている開放された部分である開口７４Ｄ、および、押縁接続ねじ７３が配置される空間７４Ｅを含む。
【００４１】
カバー部材７５は、例えばステンレスにより形成されている。カバー部材７５は、カバー接続壁７４Ｃに接続される上壁７５Ａ、および、芯材７４の開口７４Ｄの全体を閉じる側壁７５Ｂを備える。側壁７５Ｂの一方の端部は上壁７５Ａと繋がり、他方の端部は、戸尻側縦框７１に支持されている。
【００４２】
図５に示されるように、芯材７４は、防火戸１の高さ方向ＺＡに延びる形状であり、框接続壁７４Ｂは、複数の押縁接続ねじ７３を介して戸尻側縦框７１と接続されている。押縁接続ねじ７３は、例えば、なべねじである。
【００４３】
カバー接続壁７４Ｃは、防火戸１の高さ方向ＺＡに延び、押縁接続ねじ７３を芯材７４の内部に配置して引戸２０の駆動方向ＺＢからドライバ等の工具を差し込むための複数の孔７４Ｆが形成されている。カバー接続壁７４Ｃは、複数のカバー接続ねじ７６を介してカバー部材７５の上壁７５Ａと接続されている。カバー接続ねじ７６は、例えば、皿ねじである。第３の枠体７０で使用されているカバー接続ねじ７６の数は、押縁接続ねじ７３の数よりも少ない。押縁接続ねじ７３およびカバー接続ねじ７６は、防火戸１の高さ方向ＺＡにおいて一定の間隔で配置されている。防火戸１の高さ方向ＺＡにおいて隣り合うカバー接続ねじ７６の間隔ＬＣは、防火戸１の高さ方向ＺＡにおいて隣り合う押縁接続ねじ７３の間隔ＬＤよりも長い。一例によれば、間隔ＬＣは、間隔ＬＤの２倍である。
【００４４】
図４に示されるように、第４の枠体８０は、耐熱ガラス３０の一方の側縁に沿って延びる戸先側縦框８１、戸先側縦框８１との間で耐熱ガラス３０を挟み込む押縁８２、および、戸先側縦框８１と押縁８２とを接続する押縁接続ねじ８３を備える。
【００４５】
戸先側縦框８１は、防火戸１の引戸２０の駆動方向ＺＢに凹む凹部８１Ａが形成され、凹部８１Ａに耐熱ガラス３０の側部が挿入されている。凹部８１Ａには、耐熱ガラス３０を挟み込む一対のバックアップ材８１Ｂ、および、凹部８１Ａと耐熱ガラス３０との隙間をシールする難燃性の一対のシール材８１Ｃが配置されている。
【００４６】
押縁８２は、中空形状の芯材８４、芯材８４に取り付けられるカバー部材８５、および、芯材８４とカバー部材８５とを接続するカバー接続ねじ８６を備える。
芯材８４は、例えば鉄により形成されている。芯材８４は、耐熱ガラス３０を支持している支持壁８４Ａ、支持壁８４Ａと連続し、戸先側縦框８１に接続される框接続壁８４Ｂ、および、カバー部材８５と接続されるカバー接続壁８４Ｃを備える。芯材８４は、さらに、防火戸１の前後方向ＺＣにおいて、支持壁８４Ａと対向する位置に形成されている開放された部分である開口８４Ｄ、および、押縁接続ねじ８３が配置される空間８４Ｅを含む。
【００４７】
カバー部材８５は、例えばステンレスにより形成されている。カバー部材８５は、カバー接続壁８４Ｃに接続される上壁８５Ａ、および、芯材８４の開口８４Ｄの全体を閉じる側壁８５Ｂを備える。側壁８５Ｂの一方の端部は上壁８５Ａと繋がり、他方の端部は、戸先側縦框８１に支持されている。押縁接続ねじ８３は、例えば、なべねじである。カバー接続ねじ８６は、例えば、皿ねじである。なお、第４の枠体８０に用いられる押縁接続ねじ８３の数とカバー接続ねじ８６の数の関係、および、隣り合うねじの間隔の関係は、第３の枠体７０の場合と同様であるため、説明を省略する。
【００４８】
図６に示されるように、第１の枠体５０の芯材５４の長手方向の寸法ＸＡは、カバー部材５５の長手方向の寸法ＸＢよりも短い。このため、芯材５４の長手方向の一方の端部と第３の枠体７０のカバー部材７５との間、および、芯材５４の長手方向の他方の端部と第４の枠体８０のカバー部材８５との間には隙間が形成されている。
【００４９】
第２の枠体６０の芯材６４の長手方向の寸法ＸＣは、カバー部材６５の長手方向の寸法ＸＤよりも短い。このため、芯材６４の長手方向の一方の端部と第３の枠体７０のカバー部材７５との間、および、芯材６４の長手方向の他方の端部と第４の枠体８０のカバー部材８５との間には隙間が形成されている。
【００５０】
第３の枠体７０の芯材７４の長手方向の寸法ＸＥは、カバー部材７５の長手方向の寸法ＸＦよりも短い。このため、芯材７４の長手方向の一方の端部と第１の枠体５０の上框５１との間、および、芯材７４の長手方向の他方の端部と第２の枠体６０の下框６１との間には隙間が形成されている。
【００５１】
第４の枠体８０の芯材８４の長手方向の寸法ＸＧは、カバー部材８５の長手方向の寸法ＸＨよりも短い。このため、芯材８４の長手方向の一方の端部と第１の枠体５０の上框５１との間、および、芯材８４の長手方向の他方の端部と第２の枠体６０の下框６１との間には隙間が形成されている。
【００５２】
図２および図４を参照して、防火戸１の作用および効果について説明する。
図２に示されるように、第１の枠体５０は、カバー部材５５が芯材５４の開口５４Ｄを覆っているため、芯材５４の内部に配置されている押縁接続ねじ５３が外部から視認されない。同様に、第２の枠体６０は、カバー部材６５が芯材６４の開口６４Ｄを覆っているため、芯材６４の内部に配置されている押縁接続ねじ６３が外部か視認されない。
【００５３】
図４に示されるように、第３の枠体７０は、カバー部材７５が芯材７４の開口７４Ｄを覆っているため、芯材７４の内部に配置されている押縁接続ねじ７３が外部からされない。同様に、第４の枠体８０は、カバー部材８５が芯材８４の開口８４Ｄを覆っているため、芯材８４の内部に配置されている押縁接続ねじ８３が外部から視認されない。
【００５４】
以上のように、防火戸１は、押縁接続ねじ５３，６３，７３，８３が外部から視認されないため、美観が高められる。
本実施形態の防火戸１は、さらに以下の効果を奏する。
【００５５】
（１）第１の枠体５０のカバー部材５５が芯材５４を覆っているため、芯材５４が外部から視認されない。このため、防火戸１の美観がより高められる。なお、第２の枠体６０のカバー部材６５、第３の枠体７０のカバー部材７５、および、第４の枠体８０のカバー部材８５についても同様である。
【００５６】
（２）カバー部材５５がカバー接続壁５４Ｃと接続されているため、カバー部材５５が芯材５４から外れにくい。このため、カバー部材５５が開口５４Ｄを覆っている状態が維持されやすい。なお、第２の枠体６０のカバー部材６５、第３の枠体７０のカバー部材７５、および、第４の枠体８０のカバー部材８５についても同様である。
【００５７】
（３）カバー接続ねじ５６を取り外すことにより、上框５１と芯材５４とを分離することができる。このため、芯材５４の交換作業を容易に行うことができる。なお、第２の枠体６０、第３の枠体７０、および、第４の枠体８０についても同様である。
【００５８】
（４）カバー接続ねじ５６の数が押縁接続ねじの数５３の数よりも少ないため、外部から視認されるカバー接続ねじ５６の数が多くなりにくい。このため、防火戸１の美観が低下することを抑制できる。なお、第２の枠体６０のカバー接続ねじ６６、第３の枠体７０のカバー接続ねじ７６、および、第４の枠体８０のカバー接続ねじ８６についても同様である。
【００５９】
（５）芯材５４の長手方向の寸法ＸＡがカバー部材５５の長手方向の寸法ＸＢよりも短いため、芯材５４の端部と第３の枠体７０のカバー部材７５、および、第４の枠体８０のカバー部材８５との間に隙間が形成されている。このため、芯材５４の温度が上昇して芯材５４が長手方向に熱膨張しても芯材５４の端部と第３の枠体７０のカバー部材７５、および、第４の枠体８０のカバー部材８５とが接触しにくい。このため、芯材５４が座屈しにくく、芯材５４の支持壁５４Ａが耐熱ガラス３０を支持している状態が維持されやすい。なお、第２の枠体６０の芯材６４、第３の枠体７０の芯材７４、および、第４の枠体８０の芯材８４についても同様である。
【００６０】
（６）従来の防火戸の一例である、特開平８−２８４５４４号公報に記載の防火戸は、固定壁が取り付けられる開口溝が形成された無目、および、開口溝を閉じる閉鎖部材を備える。閉鎖部材は、閉鎖部材の表面から挿入された複数のねじを介して無目に接続されている。この防火戸によれば、無目と閉鎖部材とを接続するねじが外部から視認されるおそれがある。一方、防火戸１は、無目１００の内部から閉鎖部材１２０の上壁１２１に挿入されたねじ１３０の先端が閉鎖部材１２０の内部に位置しているため、ねじ１３０が外部から視認されない。このため、防火戸１の美観が高められる。
【００６１】
（７）カバー接続ねじ５６として皿ねじが用いられているため、カバー部材５５がカバー接続ねじ５６により芯材５４と接続された状態において、カバー部材５５の上壁５５Ａの形状が平面となる。このため、防火戸１の美観が高められる。なお、第２の枠体６０のカバー接続ねじ６６、第３の枠体７０のカバー接続ねじ７６、および、第４の枠体８０のカバー接続ねじ８６についても同様である。
【００６２】
（変形例）
上記実施形態に関する説明は、本発明に従う防火戸が取り得る形態の例示であり、その形態を制限することを意図していない。本発明に従う防火戸は、例えば以下に示される実施形態の変形例、および、相互に矛盾しない少なくとも２つの変形例が組み合わせられた形態を取り得る。
【００６３】
上記実施形態において、第１の枠体５０の構成を、例えば以下の（ａ）〜（ｈ）のようにしてもよい。なお、本変形例の内容は、第２の枠体６０、第３の枠体７０、および、第４の枠体８０についても同様に適用することができる。
【００６４】
（ａ）カバー部材５５は芯材５４の開口５４Ｄの少なくとも一部を覆っていればよい。
（ｂ）カバー部材５５は、上壁５５Ａを有さなくてもよい。
（ｃ）カバー部材５５の側壁５５Ｂと上框５１とをねじにより接続してもよい。
【００６５】
（ｄ）押縁接続ねじ５３として、皿ねじを用いることもできる。
（ｅ）カバー接続ねじ５６としてなべねじを用いることもできる。
（ｆ）芯材５４の長手方向の寸法ＸＡを上框５１の長手方向の寸法ＸＢと実質的に等しい寸法としてもよい。
【００６６】
（ｇ）カバー部材５５を芯材５４および上框５１の少なくとも一方と接着することにより固定してもよい。すなわち、この変形例の防火戸１はカバー接続ねじ５６を有さない。
（ｈ）カバー部材５５を芯材５４および上框５１の少なくとも一方に嵌め込むことにより固定してもよい。すなわち、この変形例の防火戸１はカバー接続ねじ５６を有さない。
【符号の説明】
【００６７】
１                            ：防火戸
１０                          ：固定壁
２０                          ：引戸（ドア）
３０                          ：耐熱ガラス
４０                          ：枠体
５０                          ：第１の枠体
５２，６２，７２，８２        ：押縁
５３，６３，７３，８３        ：押縁接続ねじ
５４，６４，７４，８４        ：芯材
５４Ａ，６４Ａ，７４Ａ，８４Ａ：支持壁
５４Ｂ，６４Ｂ，７４Ｂ，８４Ｂ：框接続壁
５４Ｃ，６４Ｃ，７４Ｃ，８４Ｃ：カバー接続壁
５４Ｅ，６４Ｅ，７４Ｅ，８４Ｅ：空間
５５，６５，７５，８５        ：カバー部材
５６，６６，７６，８６        ：カバー接続ねじ
６０                          ：第２の枠体
７０                          ：第３の枠体
８０                          ：第４の枠体
１００                        ：無目
１１８                        ：開口溝
１２０                        ：閉鎖部材
１２１                        ：上壁（壁部）
１３０                        ：ねじ
【図１】
0006705630.tif 000002
【図２】
0006705630.tif 000003
【図３】
0006705630.tif 000004
【図４】
0006705630.tif 000005
【図５】
0006705630.tif 000006
【図６】
0006705630.tif 000007